(57)【要約】【課題】専用のドライバー（駆動装置）等を必要としないで、交流電源に接続するだけで自起動可能な高効率でローコストな永久磁石型の同期モータを得ることを目的とする。【解決手段】インナーロータ形においては、周方向に等間隔で軸方向に同一極性となるようにＮ・Ｓ極を交互に備えた永久磁石型回転子の外側にエヤーギャップを介して固定子を配置し、この固定子に永久磁石型回転子と同一極数の磁界が発生するように固定子コイルを巻装し、永久磁石型回転子の各磁極は、周方向の幅の中心と固定子に作用する磁束が最大となる部分が一致せずに周方向の同一方向にずれるように構成する。【選択図】図１
2008061485.tif 000002
【特許請求の範囲】
【請求項１】
周方向に等間隔で軸方向に同一極性となるようにＮ・Ｓ極を交互に備えた永久磁石型回転子の外側にエヤーギャップを介して固定子を配置し、この固定子に前記永久磁石型回転子と同一極数の磁界が発生するように固定子コイルを巻装したインナーロータ形構造の永久磁石型モータにおいて、前記永久磁石型回転子の各磁極は、周方向の幅の中心と前記固定子に作用する磁束が最大となる部分が一致せずに周方向の同一方向にずれるように構成されていることを特徴とするインナーロータ形の永久磁石型モータ。
【請求項２】
周方向に等間隔で軸方向に同一極性となるようにＮ・Ｓ極を交互に備えた永久磁石型回転子の内側にエヤーギャップを介して固定子を配置し、この固定子に前記永久磁石型回転子と同一極数の磁界が発生するように固定子コイルを巻装したアウターロータ形構造の永久磁石型モータにおいて、前記永久磁石型回転子の各磁極は、周方向の幅の中心と前記固定子に作用する磁束が最大となる部分が一致せずに周方向の同一方向にずれるように構成されていることを特徴とするアウターロータ形の永久磁石型モータ。
【請求項３】
前記固定子あるいは前記永久磁石型回転子にスキューを施したことを特徴とする請求項１または請求項２に記載の永久磁石型モータ。
【請求項４】
前記永久磁石型回転子とエヤーギャップを介して対向する前記固定子の対向面に、複数の溝を軸方向に設けたことを特徴とする請求項１〜請求項３のいずれか一つに記載の永久磁石型モータ。
【請求項５】
起動時に電源周波数を漸増またはステップ状に増加させた後、所定の定格周波数で運転、あるいは、可変速運転することを特徴とする請求項１〜請求項４のいずれか一つに記載の永久磁石型モータ。
【発明の詳細な説明】
【技術分野】
【０００１】  この発明は、交流電源に直接接続して使用できる永久磁石型モータに関し、特に永久磁石型回転子構造に関する。
【背景技術】
【０００２】  従来、交流電源に直接接続するだけで回転可能なモータとしては、誘導電動機が一般に用いられている。例えば、単相交流電源に接続するだけで外付け部品を必要とせずに回転可能なモータとしては、図１２に示すようなくま取りコイル形単相誘導電動機が採用されている。図１２（ａ）は、４極のくま取りコイル形単相誘導電動機の主要部分の構成図であり、固定子鉄心２１の歯先にはくま取りコイル１３０を備え、４個の磁極歯部３０に固定子コイル１０を巻回しリード線接続等の端末処理が行われている。図１２（ｂ）は、２極のくま取りコイル形単相誘導電動機の構成図を示し、２個の磁極歯部３０を連結する固定子鉄心２１に固定子コイル１０が巻回されており、いずれも、カゴ形回転子１８０との間のエヤーギャップ８８の径方向長さが周方向に均等になるように構成されている。
【発明の開示】
【発明が解決しようとする課題】
【０００３】  上述の図１２（ａ）、図１２（ｂ）に示すような従来のくま取りコイル形単相誘導電動機においては、起動トルクが小さく、くま取りコイル１３０には起動時以外の運転中にも電流が流れるため効率が悪いという問題がある。また、コンデンサ付き単相誘導電動機や三相誘導電動機も二次電流による損失が発生するため同様に効率が悪いという問題がある。このため、高効率が求められる製品においては、専用のドライバー（駆動装置）で運転される永久磁石型モータが通常採用されるが、ドライバーの価格に加えエンコーダーや磁極センサー等をモータに組み込む必要があるため更に高価になるという問題がある。【０００４】  この発明は、上述のような問題点を解消するためになされたものであり、専用のドライバーや磁極センサー等が不要で、交流電源に直接接続して使用できるローコストで高効率な永久磁石型モータを得ることを目的としている。
【課題を解決するための手段】
【０００５】  上述の目的を達成するために、この発明によるインナーロータ形の永久磁石型モータは、周方向に等間隔で軸方向に同一極性となるようにＮ・Ｓ極を交互に備えた永久磁石型回転子の外側にエヤーギャップを介して固定子を配置し、この固定子に永久磁石型回転子と同一極数の磁界が発生するように固定子コイルを巻装し、永久磁石型回転子の各磁極は、周方向の幅の中心と固定子に作用する磁束が最大となる部分が一致せずに周方向の同一方向にずれるように形成されているものである。【０００６】  つぎの発明によるアウターロータ形の永久磁石型モータは、周方向に等間隔で軸方向に同一極性となるようにＮ・Ｓ極を交互に備えた永久磁石型回転子の内側にエヤーギャップを介して固定子を配置し、この固定子に永久磁石型回転子と同一極数の磁界が発生するように固定子コイルを巻装し、永久磁石型回転子の各磁極は、周方向の幅の中心と固定子に作用する磁束が最大となる部分が一致せずに周方向の同一方向にずれるように形成されているものである。【０００７】  つぎの発明による永久磁石型モータは、固定子あるいは永久磁石型回転子にスキューを施したものである。【０００８】  つぎの発明による永久磁石型モータは、永久磁石型回転子とエヤーギャップを介して対向する固定子の対向面に、複数の溝を軸方向に設けたものである。【０００９】  つぎの発明による永久磁石型モータは、起動時に電源周波数を漸増またはステップ状に増加させた後、所定の定格周波数で運転、あるいは可変速運転するものである。
【発明の効果】
【００１０】  この発明による永久磁石型モータによれば、インナーロータ形構造の永久磁石型回転子の各磁極は、周方向の幅の中心と固定子に作用する磁束が最大となる部分（磁極中心）が一致せずに周方向の同一方向にずれるように形成することにより、停止時は固定子と永久磁石型回転子が整合（固定子の各磁極の周方向の歯幅の中心と永久磁石型回転子の各磁極の周方向の幅の中心が一致）しないため自起動（交流電源で直接起動）することができ、回転中に整合した場合も、固定子の各磁極の周方向の歯幅の中心と回転子の各磁極中心（磁束が最大となる部分）は一致しないため、トルクがゼロとなる死点を回避することができ、連続して所定の方向に回転可能なインナーロータ形の永久磁石型の同期モータを得ることができる。そして、この発明による永久磁石型モータは、専用のドライバー及び磁極センサー等が不要のためローコストで生産でき、二次電流による損失もないため高効率な特性を得ることができる。また、電子部品を使用しないため信頼性が高く長寿命であり、固定子鉄心製造及びコイルの巻線作業には従来の設備を流用することができる。【００１１】  つぎの発明による永久磁石型モータによれば、アウターロータ形構造の永久磁石型回転子の各磁極は、周方向の幅の中心と固定子に作用する磁束が最大となる部分（磁極中心）が一致せずに周方向の同一方向にずれるように形成することにより、インナーロータ形の場合と同様に自起動可能なアウターロータ形の永久磁石型の同期モータを得ることができる。そしてまた、この発明による永久磁石型モータも、専用のドライバー及び磁極センサー等が不要のため安価・堅牢で信頼性が高く、二次電流による損失もないため高効率な特性を得ることができる。【００１２】  つぎの発明による永久磁石型モータによれば、固定子あるいは永久磁石型回転子にスキューを施したことにより、コギングトルクを抑制し、振動・騒音を低減することができる。【００１３】  つぎの発明による永久磁石型モータによれば、永久磁石型回転子とエヤーギャップを介して対向する固定子の対向面に、複数の溝を軸方向に設けたことにより、コギングトルクを更に抑制し、振動・騒音を更に低減することができる。【００１４】  つぎの発明による永久磁石型モータによれば、起動時に電源の周波数を漸増またはステップ状に増加させることにより、負荷トルクの大きい用途に対しても容易に起動が可能となり、また、電源の周波数を変えることにより可変速運転を行うことができる。
【発明を実施するための最良の形態】
【００１５】  以下に添付の図を参照にして、この発明にかかる永久磁石型モータの実施例を詳細に説明する。
【実施例１】
【００１６】  図１は、この発明による永久磁石型モータの実施例１として、インナーロータ形の４極の集中巻方式の単相交流モータに適用した例を示す軸直角方向の主要部分の構成図であり、固定子２０、永久磁石型回転子８０、及び回転軸９０等で構成されている。【００１７】  固定子２０は、固定子コイル１０と内側が円筒状の固定子鉄心２１で構成されており、永久磁石型回転子８０とエヤーギャップ８８を介して対向するように磁極歯部３０が形成されており、周方向の歯幅の中心３５は磁極歯部３０の磁極中心となる。【００１８】  固定子コイル１０は、マグネットワイヤーを用いて互いに隣接する磁極の極性が交互に異なるように４個の磁極に直接巻き付けるように巻回され、適切な絶縁処理が施されて、リード線（図中省略）により単相交流電源に接続されている。【００１９】  永久磁石型回転子８０は、所定の形状に加工された回転軸９０と一体の回転子鉄心８１の外周の周方向に等間隔で軸方向に同一極性となるようにＮ・Ｓ極を交互に備えた４極の永久磁石の磁極８２が配置され、固定子２０の磁極歯部３０とエヤーギャップ８８を介して軸受部材（図中省略）により回転可能に支持されている。なお、回転子鉄心８１を回転軸９０と一体とせず別の磁性部材を用いて構成することもできる。【００２０】  磁極８２の形状は、図１に示すように回転軸９０の中心より磁極８２の外周面までの径方向長さが、磁極８２の周方向の幅の中心８３と一致しない位置７０で最大となり、大略において各磁極ごとに周方向の同一方向に漸減するように形成されている。この結果、エヤーギャップ８８の径方向長さは位置７０の外周側部分で最小となり、周方向の同一方向に漸増することとなるため、位置７０は固定子２０に作用する磁束が最大となる部分、すなわち磁極中心として作用することができる。【００２１】  図１は、電源がＯＦＦされた停止時の磁極歯部３０の歯先と、永久磁石型回転子８０の外周に配置された磁極８２の位置関係を示している。停止時は磁気回路のパーミアンスが最大となり磁気的に最も安定するように、各磁極８２の磁極中心となる位置７０と固定子の磁極中心３５が概ね一致する位置で回転軸９０が停止する。このため、停止時は固定子と永久磁石型回転子が整合（固定子の各磁極中心３５と永久磁石型回転子の各磁極の周方向の幅の中心８３が一致）しないため、起動時には固定子コイル１０の主磁束により大きなトルクを発生して自起動（交流電源で直接起動）することができ、永久磁石型回転子８０を交番磁界に同期した速度に引き込むことができる。また、回転中に整合した場合も固定子の各磁極中心３５と回転子の各磁極中心となる位置７０は一致しないため、トルクがゼロとなる死点を回避することができ、エヤーギャップ８８の漸増形状によるパーミアンスの変化により所定の方向に連続して回転することができる。【００２２】  上述のような構成によれば、この発明によるインナーロータ形の永久磁石型モータは、専用のドライバー及び磁極センサー等が不要のためローコストで生産でき、二次電流による損失がないため高効率な特性を得ることができる。また、電子部品を使用しないため信頼性が高く長寿命であり、固定子鉄心製造及びコイルの巻線作業に���従来の設備を流用することができる。なお、巻線方式としては毎極の磁極歯部を複数個とした所謂分布巻方式を用いることもできる。
【実施例２】
【００２３】  図２は、この発明による永久磁石型モータの実施例２として、２極の単相交流モータに適用した例を示す軸直角方向の主要部分の構成図であり、固定子２０、永久磁石型回転子８０、及び回転軸９０等で構成されている。【００２４】  図２（ａ）に示すように永久磁石で構成される回転子の磁極８２の形状は、回転軸９０の中心より磁極８２の外周面までの径方向長さが、磁極８２の周方向の幅の中心８３と一致しない位置７０で最大となり、大略において各磁極ごとに周方向の同一方向に漸減するように形成されている。この結果、エヤーギャップ８８の径方向長さは位置７０の外周側部分で最小となり、周方向の同一方向に漸増することとなるため、位置７０は固定子２０に作用する磁束が最大となる部分、すなわち磁極中心として作用することができる。【００２５】  図２（ｂ）は、磁極歯部３０の周方向の歯幅の中心となる磁極中心３５を顕在化させるために、狭小部分３６を設けた他の実施例を示す。【００２６】  上述のような構成によっても実施例１と同様に作用させることができるため、高速回転が可能で安価・堅牢・高効率な２極の永久磁石型モータを得ることができる。
【実施例３】
【００２７】  図３〜図５は、この発明による永久磁石型モータの実施例３として、リング状の固定子コイルを有する４極の単相交流モータに適用した例を示す。図３は主要部分を示す軸直角方向の構成図、図４は軸方向半断面側面図であり、固定子コイル１０とリード線１３、及び固定子２０、永久磁石型回転子８０、回転軸９０、軸受部材９５、ブラケット９６等で構成されている。【００２８】  固定子コイル１０は、回転軸９０を周回するように、そのリングの中心と回転軸９０の中心が概ね一致するようにマグネットワイヤーを用いてリング状に巻装され、適切な絶縁処理が施されて、リード線１３により単相交流電源に接続されている。【００２９】  固定子２０は、固定子コイル１０とこれの外周側の背面固定子鉄心２２及び、固定子コイル１０の軸方向両端側の側面固定子鉄心２４・２５で構成されており、背面固定子鉄心２２と側面固定子鉄心２４・２５は夫々磁気的につながっており、更に側面固定子鉄心２４・２５の内周側には、内側が円筒状の磁極歯部３０・３１が夫々形成されている。【００３０】  永久磁石で構成される回転子の磁極８２の形状は、実施例１と同様に形成されており、エヤーギャップ８８の径方向長さは位置７０の外周側部分で最小となり、位置７０は固定子２０に作用する磁束が最大となる部分、すなわち磁極中心として作用することができる。【００３１】  図５（ａ）、図５（ｂ）は、側面固定子鉄心２４・２５と、これの内周側に形成された凸形の磁極歯部３０・３１の構成を、図４の反負荷側から負荷側（軸端側）へ透かして見た図であり、他の構成部品は図中省略している。図５（ａ）は、固定子コイル１０の反負荷側の側面固定子鉄心２４であり、磁極歯部３０は、その周方向の歯幅の中心３５が、時計の１２時と６時の位置となるように２箇所に形成されている。図５（ｂ）は、固定子コイル１０の負荷側の側面固定子鉄心２５であり、磁極歯部３１は、その周方向の歯幅の中心３５が、反負荷側の側面固定子鉄心２４に形成された磁極歯部３０の歯幅の中心３５に対し、電気角でπ（ｒａｄ）ずれた位置に形成されている。この結果、背面固定子鉄心２２（図中省略）を通して４極の磁極が、固定子コイル１０を挟んで側面固定子鉄心２４・２５の磁極歯部３０・３１により、内周側の周方向に交互に形成される。【００３２】  この実施例においては、固定子コイル１０により発生した磁束は、外周側の背面固定子鉄心２２→側面固定子鉄心２４→磁極歯部３０→エヤーギャップ８８→永久磁石の磁極８２→エヤーギャップ８８→磁極歯部３１→側面固定子鉄心２５→背面固定子鉄心２２と巡る磁路を構成し、リング状の固定子コイル１０により軸方向に発生した磁束の変化を、回転方向の磁束の変化に変えることができる。【００３３】  上述のような構成によっても実施例１と同様に作用させることができ、更にコイルエンドに相当する部分が存在しないため、コイルの銅線使用量が減少し銅損も低減することができる。この結果、小形・軽量・高効率化とコストダウンを実現することができ、コイルの巻線作業も簡略化できるため生産性の向上に寄与することができる。なお、固定子コイルとして所謂シートコイルやプリントコイル等の方式を採用することもで��る。更に、固定子鉄心の磁極歯部の軸方向に磁極片を設けたり、鉄心材として圧粉磁心を用いることもできる。
【実施例４】
【００３４】  図６は、この発明による永久磁石型モータの実施例４を示す。実施例１と同様にインナーロータ形の４極のモータに適用される永久磁石型回転子８０であり、磁極８２の外周面が段付き形状となるように形成されており他の部分は図中省略している。回転軸９０の中心より磁極８２の外周面までの径方向長さが、磁極８２の周方向の幅の中心８３と一致しない位置７０で最大となり、各磁極ごとに周方向の同一方向に回転軸９０の中心からの径方向長さが階段状に減少するように外周面が形成されている。【００３５】  上述のような構成によっても実施例１と同様に作用させることができ、ローコストで高効率な永久磁石型モータを得ることができる。
【実施例５】
【００３６】  図７は、この発明による永久磁石型モータの実施例５を示す。図７（ａ）は実施例１と同様にインナーロータ形の４極のモータに適用される永久磁石型回転子８０であり、磁極８２の外周面が円筒状となるように形成されており他の部分は図中省略している。回転軸９０の中心より磁極８２の外周面までの径方向長さは全て等しいが、磁極８２の周方向の幅の中心８３と一致しない位置７０で表面磁束量が最大となり、周方向の幅の中心８３の方向に磁束量が漸減するように着磁されており、各磁極ごとに周方向の同一方向に磁束量が漸減するように構成されている。図７（ｂ）に磁極８２の一極分の表面磁束量の分布例を示す。【００３７】  上述のような構成によっても実施例１と同様に作用させることができ、永久磁石型回転子の構造を簡素化できるため、更にローコストで高効率な永久磁石型モータを得ることができる。
【実施例６】
【００３８】  図８は、この発明による永久磁石型モータの実施例６として、アウターロータ形の４極の集中巻方式の単相交流モータに適用した例を示す軸直角方向の主要部分の構成図であり、固定子２０、永久磁石型回転子８０等で構成されている。【００３９】  固定子２０は、固定子コイル１０と外側が円筒状の固定子鉄心２１で構成されており、永久磁石型回転子８０とエヤーギャップ８８を介して対向するように磁極歯部３０が形成されており、周方向の歯幅の中心３５は磁極歯部３０の磁極中心となる。【００４０】  固定子コイル１０は、マグネットワイヤーを用いて互いに隣接する磁極の極性が交互に異なるように４個の磁極に直接巻き付けるように巻回され、適切な絶縁処理が施されて、リード線（図中省略）により単相交流電源に接続されている。【００４１】  永久磁石型回転子８０は、回転子鉄心８１の内側の周方向に等間隔で軸方向に同一極性となるようにＮ・Ｓ極を交互に備えた４極の永久磁石の磁極８２が配置され、固定子２０の磁極歯部３０とエヤーギャップ８８を介して軸受部材（図中省略）により回転可能に支持されている。【００４２】  磁極８２の形状は、図８に示すように回転軸の中心９１より磁極８２の内周面までの径方向長さが、磁極８２の周方向の幅の中心８３と一致しない位置７０で最小となり、大略において各磁極ごとに周方向の同一方向に漸増するように形成されている。この結果、エヤーギャップ８８の径方向長さは位置７０の内周側部分で最小となり、周方向の同一方向に漸増することとなるため、位置７０は固定子２０に作用する磁束が最大となる部分、すなわち磁極中心として作用することができる。【００４３】  図８は、電源がＯＦＦされた停止時の磁極歯部３０の歯先と、永久磁石型回転子８０の内側に配置された磁極８２の位置関係を示している。停止時は磁気回路のパーミアンスが最大となり磁気的に最も安定するように、各磁極８２の磁極中心となる位置７０と固定子の磁極中心３５が概ね一致する位置で回転軸が停止する。このため、停止時は固定子と永久磁石型回転子が整合（固定子の各磁極中心３５と永久磁石型回転子の各磁極の周方向の幅の中心８３が一致）しないため、起動時には固定子コイル１０の主磁束により大きなトルクを発生して自起動（交流電源で直接起動）することができ、永久磁石型回転子８０を交番磁界に同期した速度に引き込むことができる。また、回転中に整合した場合も固定子の各磁極中心３５と回転子の各磁極中心となる位置７０は一致しないため、トルクがゼロとなる死点を回避することができ、エヤーギャップ８８の漸増形状によるパーミアンスの変化により所定の方向に連続して回転することができる。【００４４】  上述のような構成によれば、この発明によるアウターロータ形の永久磁石型モータも、専用のドライバー及び磁極センサー等が不要のため安価で信頼性が高く、二次電流による損失がないため高効率な特性を得ることができる。【００４５】  また、この発明によるアウターロータ形の永久磁石型モータにおいても、インナーロータ形をベースとした実施例４及び実施例５をアウターロータ形に応用して、永久磁石型回転子８０の内側に配置された磁極８２の内周面を段付き形状としたり、円筒��に形成された磁極８２の内周面の表面磁束分布が周方向に漸減するように構成することもできる。更に、実施例３をアウターロータ形に応用して、リング状の固定子コイルを有する構造とすることもできる。
【実施例７】
【００４６】  図９は、この発明による永久磁石型モータの実施例７として、上述のような実施例の構成に加え、固定子にスキューを施すものである。【００４７】  図９は、実施例１の図１に示すインナーロータ形の永久磁石型モータの回転軸を水平方向として固定子鉄心を切り開いて、永久磁石型回転子と対向する内周面を見た部分展開図である。磁極歯部３０の歯先は、周方向に隣接する磁極歯部の歯先と互いにスキュー角だけ傾いて構成されており、他の歯先も同様に構成されている。【００４８】  上述の構成においては、固定子に容易にスキューを施し、スキュー角を最適化することによりギャップ磁束の高調波成分の影響を低減させることができるため、コギングトルクや回転ムラひいては振動・騒音を小さくすることができ、永久磁石型モータの特性を向上させることができる。なお、固定子をスキューする代わりに、永久磁石型回転子の各磁極をスキュー配置したり、あるいは、リング状の永久磁石にスキュー着磁等を施しても同様の効果を得ることができる。また実施例１以外の他の実施例にも適用することができる。
【実施例８】
【００４９】  図１０は、この発明による永久磁石型モータの実施例８として、上述のような実施例の構成に加え、更に永久磁石型回転子とエヤーギャップを介して対向する固定子の対向面に複数の溝を軸方向に設けるものである。【００５０】  図１０は、実施例１の図１に示すインナーロータ形の永久磁石型モータの固定子鉄心２１の一極分の磁極歯部３０の歯先を軸方向から見た部分図であり、他の部分は省略している。磁極歯部３０の歯先には永久磁石型回転子とエヤーギャップを介して対向する面に複数の溝４０が軸方向に設けられている。【００５１】  上述の構成においては、溝の形状及び間隔を最適化することによりコギングトルクのエネルギーを分散・低減させることができるため振動・騒音を抑制し、永久磁石型モータの特性を更に向上させることができる。なお、図１０においては、実施例１の図１に示す固定子鉄心の形状を例に示したが、これ以外の実施例に示す固定子鉄心及びアウターロータ形の固定子鉄心にも適用することができる。
【実施例９】
【００５２】  図１１は、この発明による永久磁石型モータの実施例９として、起動時に電源周波数を漸増またはステップ状に増加させた後、所定の定格周波数で運転する例を示す。図１１（ａ）は、電源をＯＮして低速度で同期引き込みを行い、所定の時間ｔ（ｓｅｃ）後に定格周波数ｆ（Ｈｚ）まで漸増させるものである。図１１（ｂ）は、電源をＯＮして低速度で同期引き込みを行い、所定の時間ｔ（ｓｅｃ）後に定格周波数ｆ（Ｈｚ）となるようにステップ状に増加させるものである。【００５３】  上述のような起動方法により、負荷トルクの大きい用途に対して容易に同期引き込みが可能となり、永久磁石型モータの起動特性を向上させることができる。また、電源の周波数を変えることにより永久磁石型モータを可変速運転することができる。なお、周波数を変える方法としては安価な矩形波制御方式等を採用することができ、磁極センサーと組み合わせることにより起動、運転特性を更に向上させることもできる。【００５４】  上述の実施例は、永久磁石型モータの極数が４極と２極の場合を主としてこの発明に適用したが、この発明による永久磁石型モータは、これ以外の極数を有する場合に対しても有効である。なお、この発明による永久磁石型回転子の各磁極の形状は、プラスチックマグネットやボンドマグネット等を用いることにより容易に形成することができ、これ以外にも、セグメント状の永久磁石を回転子鉄心表面に接着等により固定した構造、あるいは、回転子鉄心内部に埋め込んだ構造を採用することもできる。更にまた、固定子コイルを多相構造とし出力を高めるこをもできる。
【産業上の利用可能性】
【００５５】  この発明による永久磁石型モータは、交流電源に接続するだけで高効率な運転が可能なため、特に省エネが要求される家電・民生用のファンモータ、あるいは、小形ファン・ポンプ用モータとして利用することができる。また、単一の交流電源による揃速運転が可能なため繊維機械等にも利用することもできる。更に、永久磁石型回転子の磁気突極性に起因する加振力を積極的に活用した特性とすることにより携帯機器等の振動モータとして利用することもできる。
【図面の簡単な説明】
【００５６】
【図１】実施例１におけるインナーロータ形永久磁石型モータの軸直角方向の構成図である。（発明に直接関係する部分を誇張して描いており、以下同様。）
【図２】実施例２におけるインナーロータ形永久磁石型モータの軸直角方向の構成図である。
【図３】実施例３におけるリング状の固定子コイルを有するインナーロータ形永久磁石型モータの軸直角方向の構成図である。
【図４】実施例３におけるリング状の固定子コイルを有するインナーロータ形永久磁石型モータの軸方向半断面側面図である。
【図５】実施例３における側面固定子鉄心の磁極歯部の構成を、反負荷側から負荷側へ透かして見た図である。
【図６】実施例４におけるインナーロータ形永久磁石型回転子の軸直角方向の構成図である。
【図７】（ａ）は実施例５におけるインナーロータ形永久磁石型回転子の軸直角方向の構成図、（ｂ）は永久磁石型回転子の一極分の表面磁束量の分布である。
【図８】実施例６におけるアウターロータ形永久磁石型モータの軸直角方向の構成図である。
【図９】実施例７における固定子鉄心のスキューを示す部分展開図である。
【図１０】実施例８における固定子鉄心の一極分の磁極歯部の歯先を軸方向から見た部分図である。
【図１１】実施例９における起動時の電源周波数と時間の関係である。
【図１２】従来例のくま取りコイル形単相誘導電動機を示し、（ａ）は４極機の構成図であり、（ｂ）は２極機の構成図である。
【符号の説明】
【００５７】  １０  固定子コイル、  １３  リード線、  ２０  固定子、  ２１  固定子鉄心、  ２２  背面固定子鉄心、  ２４・２５  側面固定子鉄心、  ３０・３１  磁極歯部、  ３５  磁極歯部の周方向の歯幅の中心、  ３６  磁極歯部の狭小部分、  ４０  軸方向の溝、  ７０  固定子に作用する磁束が最大となる部分、  ８０  永久磁石型回転子、  ８１  回転子鉄心、  ８２  永久磁石の磁極、  ８３  磁極の周方向の幅の中心、  ８８  エヤーギャップ、  ９０  回転軸、  ９１  回転軸の中心、  ９５  軸受部材、  ９６  ブラケット、  １３０  くま取りコイル、  １８０  カゴ形回転子
【図１】
2008061485.tif 000003
【図２】
2008061485.tif 000004
【図３】
2008061485.tif 000005
【図４】
2008061485.tif 000006
【図５】
2008061485.tif 000007
【図６】
2008061485.tif 000008
【図７】
2008061485.tif 000009
【図８】
2008061485.tif 000010
【図９】
2008061485.tif 000011
【図１０】
2008061485.tif 000012
【図１１】
2008061485.tif 000013
【図１２】
2008061485.tif 000014